(57)【特許請求の範囲】
【請求項１】
相手機とＩＰ網を介して通信することが可能なファクシミリ装置であって、
前記相手機とＩＰ網を介して通話するための送受話部と、
前記相手機との間で通話信号を送受信するとともに、前記相手機からパケット化されたファクシミリ信号の受信要求を受け付け、前記パケット化されたファクシミリ信号を受信する通信部と、
ファクシミリ信号の受信を開始するための操作をユーザーから受け付ける操作パネルと、
前記送受話部で再生可能な音データが記憶された記憶部と、を備え、
前記音データは、前記送受話部において、前記パケット化されたファクシミリ信号の受信要求を前記通信部が受け付けたことを示す音に再生される第１音データを含み、
前記相手機と前記送受話部を用いて通話を行っている最中に、前記パケット化されたファクシミリ信号の受信要求を受け付けた後、前記通信部は、前記ファクシミリ信号の受信を開始するための操作が前記操作パネルに対して行われたことを受けて、前記パケット化されたファクシミリ信号の受信を開始し、
前記相手機と前記送受話部を用いて通話を行っている最中に、前記パケット化されたファクシミリ信号の受信要求を前記通信部が受け付けたとき、前記送受話部は、前記第１音データに基づく音を発することを特徴とするファクシミリ装置。
【請求項２】
前記第１音データは、前記送受話部において、擬似ファクシミリ信号音に再生される音データ、または、前記パケット化されたファクシミリ信号の受信要求を前記通信部が受け付けたことをアナウンスする音声に再生される音データであることを特徴とする請求項１に記載のファクシミリ装置。
【請求項３】
前記操作パネルは、装置状態を示す情報を表示し、
前記相手機と前記送受話部を用いて通話を行っている最中に、前記パケット化されたファクシミリ信号の受信要求を前記通信部が受け付けたとき、前記操作パネルは、前記パケット化されたファクシミリ信号の受信要求を前記通信部が受け付けたことを示す情報を表示することを特徴とする請求項１または２に記載のファクシミリ装置。
【請求項４】
前記音データは、前記送受話部において、前記パケット化されたファクシミリ信号の受信を前記通信部が開始したことを示す音に再生される第２音データを含み、
前記パケット化されたファクシミリ信号の受信を前記通信部が開始したとき、前記送受話部は、前記第２音データに基づく音を発することを特徴とする請求項１〜３のいずれかに記載のファクシミリ装置。
【請求項５】
前記第２音データは、前記送受話部において、擬似ビジートーンに再生される音データ、または、前記パケット化されたファクシミリ信号の受信を前記通信部が開始したことをアナウンスする音声に再生される音データであることを特徴とする請求項４に記載のファクシミリ装置。
【請求項６】
前記操作パネルは、装置状態を示す情報を表示し、
前記パケット化されたファクシミリ信号の受信を前記通信部が開始したとき、前記操作パネルは、前記パケット化されたファクシミリ信号の受信を前記通信部が開始したことを示す情報を表示することを特徴とする請求項１〜５のいずれかに記載のファクシミリ装置。
【発明の詳細な説明】
【技術分野】
【０００１】
本発明は、ファクシミリ装置に関する。
【背景技術】
【０００２】
ＩＰ（Ｉｎｔｅｒｎｅｔ  Ｐｒｏｔｏｃｏｌ）網を利用したファクシミリ通信を行う場合、ファクシミリ信号をパケット化し、そのパケット化されたファクシミリ信号を端末間で送受信する技術が知られている。このようなＩＰ網を利用したファクシミリ通信方式としては、たとえば、ＩＴＵ−Ｔ勧告Ｔ．３８に規定されている（たとえば、特許文献１参照）。
【先行技術文献】
【特許文献】
【０００３】
【特許文献１】特開２００７−３３６１６１号公報
【発明の概要】
【発明が解決しようとする課題】
【０００４】
ここで、自機のユーザーと相手機のユーザーとの間での通話を可能とするため、ファクシミリ装置に送受話部（たとえば、電話機や受話器）を設けたり、接続したりする場合がある。そして、相手機から自機に着信があったとき、自機のユーザーは、ＩＰ電話と同様に、送受話部を用いて相手機のユーザーと通話できる。そして、この送受話部を用いての通話中に、ファクシミリ信号を手動で送受信することがある。
【０００５】
通信方式がみなし音声方式であれば、通話中に相手機のユーザーがファクシミリ信号の手動送信を開始すると、自機の送受話部にファクシミリ信号音が流れる。したがって、自機のユーザーは、相手機のユーザーがファクシミリ信号の手動送信を開始したことを認識することができ、戸惑うことなくファクシミリ信号の手動受信の開始を実行することができる。
【０００６】
その一方、みなし音声方式でない通信方式（たとえば、Ｔ．３８方式）であれば、通話中に相手機のユーザーがファクシミリ信号の手動送信を開始した（パケット化されたファクシミリ信号の受信要求を自機が受け付けた）とき、自機の送受話部にファクシミリ信号音が流れずに、無音状態になることがある。このため、自機のユーザーは、相手機のユーザーがファクシミリ信号の手動送信を開始したとき、その時点での通信状況を認識できない。このため、自機のユーザーにとっては利便性が悪い。
【０００７】
本発明は、上記課題を解決するためになされたものであり、パケット化されたファクシミリ信号の手動受信時におけるユーザーの利便性を向上させることが可能なファクシミリ装置を提供することを目的とする。
【課題を解決するための手段】
【０００８】
上記目的を達成するために、本発明のファクシミリ装置は、相手機とＩＰ網を介して通信することが可能なファクシミリ装置であって、相手機とＩＰ網を介して通話するための送受話部と、相手機との間で通話信号を送受信するとともに、相手機からパケット化されたファクシミリ信号の受信要求を受け付け、パケット化されたファクシミリ信号を受信する通信部と、送受話部で再生可能な音データが記憶された記憶部と、を備えている。そして、音データは、送受話部において、パケット化されたファクシミリ信号の受信要求を通信部が受け付けたことを示す音に再生される第１音データを含み、相手機と送受話部を用いて通話を行っている最中に、パケット化されたファクシミリ信号の受信要求を通信部が受け付けたとき、送受話部は、第１音データに基づく音を発する。
【０００９】
本発明の構成によると、自機のユーザーが送受話部を用いて相手機のユーザーと通話を行っている最中に、パケット化されたファクシミリ信号の受信要求を通信部が受け付けたとき、送受話部は、第１音データ（パケット化されたファクシミリ信号の受信要求を通信部が受け付けたことを示す音に再生される音データ）に基づく音を発する。これにより、ファクシミリ信号を手動受信する場合において、通信方式がみなし音声方式でない方式（たとえば、Ｔ．３８方式）であったとしても、自機のユーザーは、相手機のユーザーがファクシミリ信号の手動送信を開始した（パケット化されたファクシミリ信号の受信要求を通信部が受け付けた）ということを認識することができ、戸惑うことなくファクシミリ信号の手動受信の開始を実行することができる。すなわち、パケット化されたファクシミリ信号の手動受信時におけるユーザーの利便性を向上させることが可能となる。
【００１０】
この場合、第１音データは、送受話部において、擬似ファクシミリ信号音に再生される音データ、または、パケット化されたファクシミリ信号の受信要求を通信部が受け付けたことをアナウンスする音声に再生される音データであることが好ましい。このように構成すれば、より分かり易く、相手機のユーザーがファクシミリ信号の手動送信を開始した（パケット化されたファクシミリ信号の受信要求を通信部が受け付けた）ことをユーザーに認識させることができる。
【００１１】
上記した構成において、装置状態を示す情報を表示する操作パネルをさらに備え、相手機と送受話部を用いて通話を行っている最中に、パケット化されたファクシミリ信号の受信要求を通信部が受け付けたとき、操作パネルは、パケット化されたファクシミリ信号の受信要求を通信部が受け付けたことを示す情報を表示することが好ましい。このように構成すれば、より確実に（視覚的に）、相手機のユーザーがファクシミリ信号の手動送信を開始した（パケット化されたファクシミリ信号の受信要求を通信部が受け付けた）ことをユーザーに認識させることができる。
【００１２】
上記した音データは、送受話部において、パケット化されたファクシミリ信号の受信を通信部が開始したことを示す音に再生される第２音データを含み、パケット化されたファクシミリ信号の受信を通信部が開始したとき、送受話部は、第２音データに基づく音を発することが好ましい。このように構成すれば、パケット化されたファクシミリ信号を通信部が受信中であることをユーザーに認識させることができる。すなわち、ユーザーに対して、送受話部をオンフックするように促すことができる。
【００１３】
この第２音データは、送受話部において、擬似ビジートーンに再生される音データ、または、パケット化されたファクシミリ信号の受信を通信部が開始したことをアナウンスする音声に再生される音データであることが好ましい。このように構成すれば、より分かり易く、パケット化されたファクシミリ信号を通信部が受信中であることをユーザーに認識させることができる。
【００１４】
上記した構成において、装置状態を示す情報を表示する操作パネルをさらに備え、パケット化されたファクシミリ信号の受信を通信部が開始したとき、操作パネルは、パケット化されたファクシミリ信号の受信を通信部が開始したことを示す情報を表示することが好ましい。このように構成すれば、より確実に（視覚的に）、パケット化されたファクシミリ信号を通信部が受信中であることをユーザーに認識させることができる。
【発明の効果】
【００１５】
以上のように、本発明によれば、パケット化されたファクシミリ信号の手動受信時におけるユーザーの利便性を向上させることが可能となる。
【図面の簡単な説明】
【００１６】
【図１】本発明のファクシミリ装置（複合機）の概略図
【図２】本発明のファクシミリ装置（複合機）の操作パネルの一例を示した平面図
【図３】本発明のファクシミリ装置（複合機）の画像形成部を示した概略図
【図４】本発明のファクシミリ装置（複合機）のハードウェア構成を示したブロック図
【図５】本発明のファクシミリ装置（複合機）の動作（Ｔ．３８方式でのファクシミリ信号を手動受信する場合の動作）を説明するためのフローチャート
【発明を実施するための形態】
【００１７】
まず、図１を参照して、本発明の一実施形態によるファクシミリ装置の全体構成について説明する。なお、本実施形態のファクシミリ装置は、ＩＴＵ−Ｔ勧告Ｔ．３８に準拠したファクシミリ通信を行うことが可能なＩＰファクシミリ装置である。以下、このファクシミリ装置として、少なくともファックス機能を有する複合機を例にとって説明する。
【００１８】
本実施形態のファクシミリ装置としての複合機１００は、たとえば、タンデム方式のカラー複合機であって、ファックス機能以外に、コピー機能およびスキャナ機能などを有する。
【００１９】
また、この複合機１００は、操作パネル１０１、画像読取部１０２およびエンジン部（給紙部１０３、搬送路１０４、画像形成部１０５、中間転写部１０６、定着部１０７および両面搬送路１０８）などを備えている。
【００２０】
操作パネル１０１は、たとえば、図１中の破線で示された箇所に配置される。また、操作パネル１０１は、図２に示すように、液晶表示部１１を有する。この液晶表示部１１には、各種設定などを行うためのメニューおよびキーが表示されるとともに、装置状態などを示すメッセージも表示される。そして、ユーザーは、液晶表示部１１に表示されたキーを押下することで、各種設定などを行うことができる。なお、液晶表示部１１には、液晶表示部１１に表示されたキーがユーザーによって押下されたときに、その押下位置の座標を検出するためのタッチパネルが設けられている。
【００２１】
また、操作パネル１０１には、テンキー１２やスタートキー１３などのハードキーが設けられている。テンキー１２は、ユーザーが数字入力を行うためのハードキーである。スタートキー１３は、各種機能の実行指示をユーザーから受け付けるためのハードキーである。
【００２２】
さらに、操作パネル１０１には、コピーキー１４、スキャナキー１５、ファックスキー１６およびボックスキー１７などのハードキーも設けられている。そして、コピーキー１４がユーザーによって押下されると、コピー機能を利用する上で必要なキーやメッセージなどが液晶表示部１１に表示される。スキャナキー１５がユーザーによって押下されると、スキャナ機能を利用する上で必要なキーやメッセージなどが液晶表示部１１に表示される。ファックスキー１６がユーザーによって押下されると、ファックス機能を利用する上で必要なキーやメッセージなどが液晶表示部１１に表示される。ボックスキー１７がユーザーによって押下されると、ボックス機能を利用する上で必要なキーやメッセージなどが液晶表示部１１に表示される。なお、ボックス機能とは、ボックスと呼ばれる所定の保存領域（たとえば、後述する記憶部１１３に設けられたフォルダ）に画像読取部１０２で読み取った原稿の電子文書を保存しておく機能である。
【００２３】
図１に戻って、画像読取部１０２は、原稿を読み取り、原稿の画像データを形成する。画像読取部１０２には、図示しないが、露光ランプ、ミラー、レンズおよびイメージセンサーなどの光学系部材が設けられている。この画像読取部１０２は、載置読取用コンタクトガラス２１に載置される原稿にビームを照射し、その原稿の反射ビームを受けたイメージセンサーの各画素の出力値をＡ／Ｄ変換することにより、画像データを生成する。なお、画像読取部１０２による原稿の読み取り時には、載置用コンタクトガラス２１に載置された原稿を原稿カバー２２で押えるようになっている。
【００２４】
給紙部１０３は、記録媒体としての用紙Ｐを収容するとともに、用紙Ｐを搬送路１０４に供給する。この給紙部１０３には、収容された用紙Ｐを引き出すピックアップローラー３１や、用紙Ｐの重送を抑制するための分離ローラー３２などが設けられている。
【００２５】
搬送路１０４は、複合機１００の内部において用紙Ｐを搬送するものである。具体的に言うと、給紙部１０３から供給された用紙Ｐは、搬送路１０４によって、中間転写部１０６および定着部１０７をこの順番で通過して排出トレイ１０９に導かれる。この搬送路１０４には、用紙Ｐを中間転写部１０６の手前で待機させ、タイミングを合わせて中間転写部１０６に送り出すレジストローラー４１などが設けられている。
【００２６】
画像形成部１０５は、画像データに基づいてトナー像を形成するものであって、４色分の画像形成部５０（ブラックのトナー像を形成する画像形成部５０Ｂｋ、イエローのトナー像を形成する画像形成部５０Ｙ、シアンのトナー像を形成する画像形成部５０Ｃ、および、マゼンダのトナー像を形成する画像形成部５０Ｍ）と、露光装置５とを備えている。なお、画像形成部５０Ｂｋ、５０Ｙ、５０Ｃおよび５０Ｍは、互いに異なる色のトナー像を形成するが、いずれも基本的に同様の構成である。したがって、以下の説明では、各色を表す符号（Ｂｋ、Ｙ、ＣおよびＭ）を省略する。
【００２７】
各画像形成部５０のそれぞれは、図３に示すように、感光体ドラム１、帯電装置２、現像装置３および清掃装置４を含んでいる。そして、各画像形成部５０は、露光装置５を共通で使用する。
【００２８】
各感光体ドラム１は、外周面にトナー像を担持するものであって、外周面に感光層を有する。各帯電装置２は、対応する感光体ドラム１を一定の電位で帯電させる。各現像装置３は、対応する色の現像剤を収容し、対応する感光体ドラム１にトナーを供給する。各清掃装置４は、対応する感光体ドラム１の清掃を行う。露光装置５は、各感光体１に対して走査露光を行って静電潜像を形成する。
【００２９】
図１に戻って、中間転写部１０６は、画像形成部１０５からトナー像の１次転写を受けた後、用紙Ｐに２次転写を行う。中間転写部１０６は、中間転写ベルト６１と、各画像形成部５０にそれぞれ割り当てられた１次転写ローラー６２Ｂｋ、６２Ｙ、６２Ｃおよび６２Ｍとを少なくとも含んでいる。１次転写ローラー６２Ｂｋ、６２Ｙ、６２Ｃおよび６２Ｍは、対応する画像形成部５０（具体的には、感光体ドラム１）との間で中間転写ベルト６１を挟み込んでいるとともに、転写用電圧（転写バイアス）が印加されるようになっている。
【００３０】
また、中間転写部１０６は、駆動ローラー６３および従動ローラー６４も含んでいる。そして、駆動ローラー６３および従動ローラー６４は、１次転写ローラー６２Ｂｋ、６２Ｙ、６２Ｃおよび６２Ｍと共に、中間転写ベルト６１を張架している。
【００３１】
さらに、中間転写部１０６は、２次転写ローラー６５も含んでいる。この２次転写ローラー６５は、駆動ローラー６３との間で中間転写ベルト６１を挟み込んでいるとともに、転写用電圧（転写バイアス）が印加されるようになっている。
【００３２】
そして、各画像形成部５０で形成されたトナー像は、転写用電圧が印加された１次転写ローラー６２Ｂｋ、６２Ｙ、６２Ｃおよび６２Ｍにより、順次、ずれなく重畳して中間転写ベルト６１に１次転写される。その後、中間転写ベルト６１に１次転写されたトナー像は、転写用電圧が印加された２次転写ローラー６５により、用紙Ｐに２次転写される。
【００３３】
また、中間転写部１０６は、ベルト清掃装置６６も含んでいる。そして、このベルト清掃装置６６によって、中間転写ベルト６１から用紙Ｐへのトナー像の２次転写の後、中間転写ベルト６１の清掃が行われる。
【００３４】
定着部１０７は、用紙Ｐに２次転写されたトナー像を加熱・加圧して定着させるものである。この定着部１０７は、発熱源を内蔵する定着ローラー７１と、定着ローラー７１に圧接される加圧ローラー７２とを含んでいる。そして、トナー像が２次転写された用紙Ｐは、定着ローラー７１と加圧ローラー７２との間を通過することで、加熱・加圧される。これにより、用紙Ｐにトナー像が定着される。
【００３５】
そして、用紙Ｐは、定着部１０７を通過した後、排出トレイ１０９に排出される。これによって、画像形成処理が完了する。
【００３６】
また、両面搬送路１０８は、両面印刷を可能とするものである。この両面搬送路１０８は、定着部１０７の下流側おいて搬送路１０４と分岐し、レジストローラー４１の上流側において搬送路１０４と合流している。そして、両面搬送路１０８には、搬送路１０４との分岐点に配置された切替爪８１、排出トレイ１０９に繋がる排出口１０９ａに配置されているとともに正逆回転の切り換えが可能な排出ローラー８２、および、用紙Ｐを搬送する搬送ローラー８３などが設けられている。
【００３７】
両面印刷を行う場合、切替爪８１は、両面搬送路１０８を閉じるポジションとなり、定着部１０７から送られた用紙Ｐを排出トレイ１０９に導く。また、排出ローラー８２は、ひとまず、正回転して用紙Ｐを排出トレイ１０９に排出する。この後、排出ローラー８２は、用紙Ｐが排出ローラー８２を通過しきる前に逆回転する。このとき、切替爪８１は、両面搬送路１０８を開く方向に回動する。これにより、片面印刷された用紙Ｐは、両面搬送路１０８に導かれる。
【００３８】
両面搬送路１０８に導かれた用紙Ｐは、搬送ローラー８３により搬送され、レジストローラー４１の上流側に至る。そして、再び、中間転写部１０６から定着部１０７へと送られる。このときには、用紙Ｐの表裏が逆転しているので、用紙Ｐの裏面（未印刷面）に対して、２次転写処理および定着処理がなされる。そして、両面印刷が終わった用紙Ｐは、排出トレイ１０９に排出される。
【００３９】
次に、図４を参照して、複合機１００のハードウェア構成について説明する。
【００４０】
画像形成装置１００は、主制御部１１０を有する。この主制御部１１０は、中央演算処理装置であるＣＰＵ１１１や画像処理部１１２などを含む。また、主制御部１１０は、操作パネル１０１、画像読取部１０２、給紙部１０３、搬送路１０４、画像形成部１０５、中間転写部１０６、定着部１０７および両面搬送路１０８などと接続されており、後述する記憶部１１３に記憶されたプログラムやデータに基づいて各部の制御や演算を行う。なお、主制御部１１０は、全体制御や画像処理を行うメイン制御部と、画像形成や各種回転体を回転させるモーターのオン／オフを制御するエンジン制御部とに分割されていてもよい。
【００４１】
主制御部１１０に接続される操作パネル１０１は、表示制御部１８を有する。この表示制御部１８は、ＣＰＵやＩＣなどからなり、液晶表示部１１の表示を制御する。また、表示制御部１８は、液晶表示部１１（タッチパネル）に表示されたキーがユーザーによって押下されると、タッチパネルの出力を受けて押下位置の座標を特定する。これにより、液晶表示部１１に対してユーザーが押下した位置（選択したキー）が特定される。なお、タッチパネルの出力と押下位置の座標との対応を示すテーブルなどのデータは、たとえば、メモリ１９に記憶される。また、このメモリ１９に、コピー機能、スキャナ機能、ファックス機能およびボックス機能などの各機能を利用する上で必要なキーやメッセージなどを液晶表示部１１に表示するためのデータが記憶されていてもよい。
【００４２】
また、主制御部１１０は、記憶部１１３と接続される。記憶部１１３は、ＲＯＭ１１３ａ、ＲＡＭ１１３ｂおよびＨＤＤ１１３ｃなどの揮発性の記憶装置と不揮発性の記憶装置とを含む。そして、記憶部１１３には各種のプログラムやデータなどが記憶される。たとえば、コピー機能、スキャナ機能、ファックス機能およびボックス機能などの各種機能の制御に必要なプログラムやデータは、ＲＯＭ１１３ａに記憶され、ＲＡＭ１１３ｂに展開される。
【００４３】
さらに、主制御部１１０は、通信部１１４と接続される。この通信部１１４は、ネットワーク接続を行うためのチップやドライバなどを有している。そして、通信部１１４は、ＩＰ（Ｉｎｔｅｒｎｅｔ  Ｐｒｏｔｏｃｏｌ）網を介して、通信先である相手機２００と接続される。この相手機２００がＩＴＵ−Ｔ勧告Ｔ．３８に準拠した通信方式に対応するＩＰファクシミリ装置であれば、相手機２００との間でＴ．３８方式のファクシミリ通信を行うことができる。
【００４４】
この通信部１１４には送受話部１２０（たとえば、電話機や受話器）が外部接続されており、ＩＰ網を介した通話が可能となっている。すなわち、まず、複合機１００（自機）の送受話部１２０に音声（ユーザーが発した声）が入力されると、送受話部１２０に入力された音声は、音声信号（電気信号）に変換され、複合機１００に内蔵された音声コーデックによってパケット信号に変換される。そして、パケット信号は、通信部１１４がＩＰ網を介して相手機２００に送信する。パケット信号を受信した相手機２００は、パケット信号を音声信号に変換する。これにより、相手機２００から音声が出力される。
【００４５】
また、送受話部１２０は、複合機１００（自機）と相手機２００との間でのファクシミリ通信において、手動送信および手動受信を行うときに用いられてもよい。複合機１００（自機）においてファクシミリ信号を手動送信する場合には、まず、原稿読取部１０２に原稿をセットする。その後、送受話部１２０をオフフックして相手機２００のユーザーに呼びかけを行い、相手機２００のユーザーと通話する。そして、複合機（自機）のスタートキー１３を押下し、ファクシミリ信号の手動送信を開始する。
【００４６】
その一方、複合機１００（自機）においてファクシミリ信号を手動受信する場合、相手機２００のユーザーは、上述したファクシミリ信号の手動送信の動作を行う。このとき、送受話部１２０から呼び出し音が発せられるので、送受話部１２０をオフフックし、相手機２００のユーザーと通話する。そして、相手機２００のユーザーがファクシミリ信号の手動送信を開始した後、複合機１００（自機）の操作パネル１０１を操作してファクシミリ信号の手動受信を開始する。たとえば、操作パネル１０１のファックスキー１６を押下すると、ファックス機能を利用する上で必要なキーやメッセージが液晶表示部１１に表示されるが、その表示面内に、ファクシミリ信号の手動受信の開始を受け付けるためのキーが有る。
【００４７】
ここで、ファクシミリ信号の手動受信を行うに際して、たとえば、通信方式がみなし音声方式であれば、複合機１００（自機）がファクシミリ信号を受信するとき、複合機１００（自機）の送受話部１２０にファクシミリ信号音が流れる。したがって、複合機１００（自機）のユーザーからすると、戸惑うことなくファクシミリ信号の手動受信の開始を実行することができる。
【００４８】
しかし、通信方式がみなし音声方式でなければ、相手機２００のユーザーがファクシミリ信号の手動送信を開始したとき、複合機１００（自機）の送受話部１２０にファクシミリ信号音が流れることは無い（無音状態になる）。したがって、複合機１００（自機）のユーザーは、現時点の通信状態がどのようになっているのかを認識できず、どのように対処すべきかについて判断に迷うことがある。
【００４９】
そこで、本実施形態では、通信方式がみなし音声方式でない場合、パケット化されたファクシミリ信号の受信要求を通信部１１４が受け付けたときに、送受話部１２０に何らかの音を流すことによって、パケット化されたファクシミリ信号の受信要求を受けたことをユーザーに報知する。
【００５０】
送受話部１２０に流す音としては、パケット化されたファクシミリ信号の受信要求を通信部１１４が受け付けたことをユーザーに認識させることができるのであれば、特に限定されない。たとえば、擬似ファクシミリ信号音であってもよい。あるいは、「ファクシミリ信号の手動受信操作を開始してください」といったようなことをアナウンスする音声を流してもよい。
【００５１】
このような音は、たとえば、音データ（以下、第１音データと言う）として記憶部１１５に記憶されている。そして、通信部１１４は、パケット化されたファクシミリ信号の受信要求を受け付けたとき、記憶部１１５に記憶された第１音データを送受話部１２０に伝送する。これにより、送受話部１２０において第１音データが再生され、第１音データに基づいた音が送受話部１２０から発せられる。
【００５２】
この記憶部１１５には、パケット化されたファクシミリ信号の受信を通信部１１４が開始したことを示す音データ（以下、第２音データと言う）も記憶される。この第２音データは、パケット化されたファクシミリ信号の受信を通信部１１４が開始したときに、通信部１１４によって送受話部１２０に伝送され、送受話部１２０において再生される。これによって、第２音データに基づいた音が送受話部１２０から発せられる。たとえば、第２音データは、送受話部１２０において、擬似ビジートーンに再生されるデータであってもよいし、「ファクシミリ信号を受信中です」といったようなことをアナウンスする音声に再生されるデータであってもよい。
【００５３】
また、本実施形態では、操作パネル１０１の液晶表示部１１に、パケット化されたファクシミリ信号の受信要求を通信部１１４が受け付けたことを示す情報（通信状況）を表示するようにしている。この情報としては、特に限定されないが、たとえば、具体的なメッセージを操作パネル１０１の液晶表示部１１に表示することが考えられる。すなわち、たとえば、「ファクシミリ信号の手動受信操作を開始してください」といったようなメッセージを操作パネル１０１の液晶表示部１１に表示する。このときに表示するメッセージなどのデータは、たとえば、メモリ１９に記憶される。
【００５４】
さらに、パケット化されたファクシミリ信号の受信を通信部１１４が開始したときに、そのことを示す情報（通信状況）を操作パネル１０１の液晶表示部１１に表示するようにしてもよい。たとえば、このときに操作パネル１０１の液晶表示部１１に表示する情報としては、「ファクシミリ信号を受信中です」といったような具体的なメッセージである。
【００５５】
以下、図５を参照して、パケット化されたファクシミリ信号を手動受信する場合の動作について説明する。なお、以下の説明では、通信方式がＴ．３８方式であるとする。そして、パケット化されたファクシミリ信号を相手機２００が手動送信し、そのパケット化されたファクシミリ信号を複合機１００（自機）が手動受信するとする。
【００５６】
まず、図５のフローのスタート時点では、相手機２００のユーザーがファクシミリ信号を手動送信するために（複合機１００（自機）のユーザーにファクシミリ信号を手動受信してもらうために）、相手機２００のユーザーが複合機１００（自機）の送受話部１２０に呼びかけを行っているとする。
【００５７】
ステップＳ１において、複合機１００（自機）のユーザーは、送受話部１２０をオフフックし、ＩＰ網を経由して相手機２００のユーザーと通話を開始する。続いて、ステップＳ２において、相手機２００のユーザーがファクシミリ信号の手動送信を開始する前に、複合機１００（自機）のユーザーが送受話部１２０をオンフックすれば、ファクシミリ信号の受信が行われずに終了する。一方、複合機１００（自機）のユーザーが送受話部１２０をオンフックしなければ、ステップＳ３に移行する。
【００５８】
ステップＳ３に移行すると、通信部１１４は、ファクシミリ信号の受信要求を受け付けたか否かを判断する。すなわち、通信部１１４は、相手機２００のユーザーがファクシミリ信号の手動送信を開始したか否かを判断する。そして、ファクシミリ信号の受信要求を受け付けていなければ、ステップＳ１に戻り、複合機１００（自機）のユーザーは、相手機２００のユーザーとの間でＩＰ網を経由した通話を続ける。一方で、ファクシミリ信号の受信要求を受け付ければ、ステップＳ４に移行する。
【００５９】
ここで、通信方式がみなし音声方式であれば、複合機１００（自機）の送受話部１２０にファクシミリ信号音が流れるが、通信方式がみなし音声方式でない方式（たとえば、Ｔ．３８方式）であれば、複合機１００（自機）の送受話部１２０にはファクシミリ信号音は流れない。
【００６０】
そこで、ステップＳ４に移行すると、通信部１１４は、記憶部１１５に記憶された第１音データを送受話部１２０に伝送し、その第１音データを送受話部１２０において再生させる。具体的には、ファクシミリ信号の受信要求を通信部１１４が受け付けた（相手機２００のユーザーがファクシミリ信号の手動送信を開始した）ことを複合機１００（自機）のユーザーに認識させるための音データを送受話部１２０において再生させる。このとき、送受話部１２０は、擬似ファクシミリ信号音や、「ファクシミリ信号の手動受信操作を開始してください」といったようなことをアナウンスする音声を発する。すなわち、ステップＳ４においては、複合機１００（自機）のユーザーに、ファクシミリ信号の受信要求を通信部１１４が受け付けたことをユーザーに報知する。これにより、複合機１００（自機）のユーザーは、相手機２００のユーザーがファクシミリ信号の手動送信を開始したことを認識した上で、複合機１００（自機）においてファクシミリ信号の手動受信の操作を行うことができる。
【００６１】
なお、ステップＳ４において、ファクシミリ信号の受信要求を通信部１１４が受け付けた（相手機２００のユーザーがファクシミリ信号の手動送信を開始した）ことを示す通信状況を操作パネル１０１に表示してもよい。この場合、操作パネル１０１は、たとえば、「ファクシミリ信号の手動受信操作を開始してください」といったようなメッセージを表示する。
【００６２】
続いて、ステップＳ５において、通信時にタイムアウトが発生していなければ、ステップＳ６に移行し、通信部１１４は、ユーザーによってファクシミリ信号の手動受信の操作が行われたか否かを判断する。ユーザーによってファクシミリ信号の手動受信の操作が行われていれば、ステップＳ７に移行し、通信部１１４は、ファクシミリ信号の受信を開始する。この後、ステップＳ８に移行する。
【００６３】
なお、ステップＳ５において、通信時にタイムアウトが発生していれば、ステップＳ８に移行する。このとき、通信部１１４は、記憶部１１５に記憶された第２音データ（擬似ビジートーンに対応するデータ）を送受話部１２０に伝送し、送受話部１２０から擬似ビジートーンを発生させる。また、ステップＳ６において、ユーザーによってファクシミリ信号の手動受信の操作が行われていなければ、ステップＳ４に戻る。
【００６４】
ステップＳ８に移行すると、通信部１１４は、記憶部１１５に記憶された第２音データを送受話部１２０に伝送し、その第２音データを送受話部１２０において再生させる。具体的には、ファクシミリ信号の受信を通信部１１４が開始したことを複合機１００（自機）のユーザーに認識させるための音データを送受話部１２０において再生させる。このとき、送受話部１２０は、たとえば、擬似ビジートーンや、「ファクシミリ信号の受信中です」といったようなことをアナウンスする音声を発する。したがって、ステップＳ８においては、複合機１００（自機）のユーザーに、ファクシミリ信号の受信を通信部１１４が開始したことをユーザーに報知する。
【００６５】
なお、ステップＳ８において、ファクシミリ信号の受信を通信部１１４が開始したことを示す通信状況を操作パネル１０１に表示してもよい。この場合、操作パネル１０１は、たとえば、「ファクシミリ信号を受信中です」といったようなメッセージを表示する。
【００６６】
そして、ステップＳ９において、複合機１００（自機）のユーザーが送受話部１２０をオンフックすれば、ステップＳ１０に移行し、通信部１１４は、第２音データの送受話部１２０への伝送を停止する。すなわち、送受話部１２０から発せられていた信号音（音声）が止まる。一方で、ステップＳ９において、複合機１００（自機）のユーザーが送受話部１２０をオンフックしなければ、通信部１１４は、複合機１００（自機）のユーザーが送受話部１２０をオンフックするまで、第２音データを送受話部１２０に伝送し続ける。すなわち、送受話部１２０からの信号音（音声）の発生が続く。
【００６７】
本実施形態の複合機１００（ファクシミリ装置）は、上記のように、相手機２００とＩＰ網を介して通話するための送受話部１２０と、相手機２００との間で通話信号を送受信するとともに、相手機２００からパケット化されたファクシミリ信号の受信要求を受け付け、そのパケット化されたファクシミリ信号を受信する通信部１１４と、送受話部１２０で再生可能な音データが記憶された記憶部１１５と、を備えている。そして、音データは、送受話部１２０において、パケット化されたファクシミリ信号の受信要求を通信部１１４が受け付けたことを示す音に再生される第１音データを含み、相手機２００と送受話部１２０を用いて通話を行っている最中に、パケット化されたファクシミリ信号の受信要求を通信部１１４が受け付けたとき、送受話部１２０は、第１音データに基づく音を発する。
【００６８】
本実施形態の構成によると、複合機１００（自機）のユーザーが送受話部１２０を用いて相手機２００のユーザーと通話を行っている最中に、パケット化されたファクシミリ信号の受信要求を通信部１１４が受け付けたとき、送受話部１２０は、第１音データ（パケット化されたファクシミリ信号の受信要求を通信部１１４が受け付けたことを示す音に再生される音データ）に基づく音を発する。これにより、ファクシミリ信号を手動受信する場合において、通信方式がみなし音声方式でない方式（たとえば、Ｔ．３８方式）であったとしても、複合機１００（自機）のユーザーは、相手機２００のユーザーがファクシミリ信号の手動送信を開始した（パケット化されたファクシミリ信号の受信要求を通信部１１４が受け付けた）ということを認識することができ、戸惑うことなくファクシミリ信号の手動受信の開始を実行することができる。すなわち、パケット化されたファクシミリ信号の手動受信時におけるユーザーの利便性を向上させることが可能となる。
【００６９】
また、本実施形態では、第１音データは、送受話部１２０において、擬似ファクシミリ信号音に再生される音データ、または、パケット化されたファクシミリ信号の受信要求を通信部１１４が受け付けたことをアナウンスする音声に再生される音データである。このように構成すれば、より分かり易く、相手機２００のユーザーがファクシミリ信号の手動送信を開始した（パケット化されたファクシミリ信号の受信要求を通信部１１４が受け付けた）ことをユーザーに認識させることができる。
【００７０】
また、本実施形態では、相手機２００と送受話部１２０を用いて通話を行っている最中に、パケット化されたファクシミリ信号の受信要求を通信部１１４が受け付けたとき、操作パネル１０１は、パケット化されたファクシミリ信号の受信要求を通信部１１４が受け付けたことを示す情報を表示する。このように構成すれば、より確実に（視覚的に）、相手機２００のユーザーがファクシミリ信号の手動送信を開始した（パケット化されたファクシミリ信号の受信要求を通信部１１４が受け付けた）ことをユーザーに認識させることができる。
【００７１】
また、本実施形態では、音データは、送受話部１２０において、パケット化されたファクシミリ信号の受信を通信部１１４が開始したことを示す音に再生される第２音データを含み、パケット化されたファクシミリ信号の受信を通信部１１４が開始したとき、送受話部１２０は、第２音データに基づく音を発する。このように構成すれば、パケット化されたファクシミリ信号を通信部１１４が受信中であることをユーザーに認識させることができる。すなわち、ユーザーに対して、送受話部１２０をオンフックするように促すことができる。
【００７２】
また、本実施形態では、第２音データは、送受話部１２０において、擬似ビジートーンに再生される音データ、または、パケット化されたファクシミリ信号の受信を通信部１１４が開始したことをアナウンスする音声に再生される音データである。このように構成すれば、より分かり易く、パケット化されたファクシミリ信号を通信部１１４が受信中であることをユーザーに認識させることができる。
【００７３】
また、本実施形態では、パケット化されたファクシミリ信号の受信を通信部１１４が開始したとき、操作パネル１０１は、パケット化されたファクシミリ信号の受信を通信部１１４が開始したことを示す情報を表示する。このように構成すれば、より確実に（視覚的に）、パケット化されたファクシミリ信号を通信部１１４が受信中であることをユーザーに認識させることができる。
【００７４】
なお、パケット化されたファクシミリ信号の手動受信時におけるユーザーの利便性を向上させる方法として、以下のような方法も考えられる。
【００７５】
すなわち、相手機２００と送受話部１２０を用いて通話を行っている最中に、パケット化されたファクシミリ信号の受信要求を通信部１１４が受け付けたとき、通信部１１４は、パケット化されたファクシミリ信号の受信を自動的に開始する。この場合、図５に示すフローにおいて、ステップＳ４〜Ｓ６が省略される。
【００７６】
今回開示された実施形態は、すべての点で例示であって、制限的なものではないと考えられるべきである。本発明の範囲は、上記実施形態の説明ではなく特許請求の範囲によって示され、さらに、特許請求の範囲と均等の意味および範囲内でのすべての変更が含まれる。
【符号の説明】
【００７７】
１００  複合機（ファクシミリ装置）
１０１  操作パネル
１１４  通信部
１１５  記憶部
１２０  送受話部
２００  相手機
【図１】
0005645746.tif 000002
【図２】
0005645746.tif 000003
【図３】
0005645746.tif 000004
【図４】
0005645746.tif 000005
【図５】
0005645746.tif 000006